【手続補正書】
【提出日】平成17年12月20日(2005.12.20)
【手続補正１】
【補正対象書類名】特許請求の範囲
【補正対象項目名】全文
【補正方法】変更
【補正の内容】
【特許請求の範囲】
【請求項１】
複数の監視装置を使用し、各監視装置は１人の回答者と関連し、衛星測位システム（“ＳＰＳ”）を使用して複数の回答者の移動を前記複数の回答者がたどった進行路に沿って追跡し、
前記追跡の結果をジェオデータとして記憶し、
前記記憶されたジェオデータを解析して、前記複数の回答者がたどった前記進行路に沿って位置されたメディアディスプレイへの前記複数の回答者の露出を決定するステップを含んでいるメディアディスプレイの効果を決定する方法。
【請求項２】
前記監視装置を特定調査データにより初期化するステップをさらに含んでいる請求項１記載の方法。
【請求項３】
前記監視装置はまた無線周波数測位を使用して前記回答者の移動を追跡する請求項１記載の方法。
【請求項４】
前記監視装置はまた加速度計を使用して前記回答者の移動を追跡する請求項１記載の方法。
【請求項５】
前記監視装置はまたジャイロスコープを使用して前記回答者の移動を追跡する請求項１記載の方法。
【請求項６】
前記監視装置はまたコンパスを使用して前記回答者の移動を追跡する請求項１記載の方法。
【請求項７】
前記監視装置はまた高度計を使用して前記回答者の移動を追跡する請求項１記載の方法。
【請求項８】
前記監視装置はまた気圧計を使用して前記回答者の移動を追跡する請求項１記載の方法。
【請求項９】
前記複数の回答者は人口統計特性にしたがって分類される請求項１記載の方法。
【請求項１０】
前記監視装置は共通の運搬者により配達される請求項１記載の方法。
【請求項１１】
前記監視装置はクーリエにより配達される請求項１記載の方法。
【請求項１２】
前記ジェオデータは予め定められた期間のあいだ記憶される請求項１記載の方法。
【請求項１３】
複数のデータソースから受信されたジェオデータを収集し、前記ジェオデータの少なくとも一部分は衛星測位システム（“ＳＰＳ”）から得られ、前記ジェオデータは進行路に沿った回答者の移動を表しており、
メディアディスプレイの位置を前記ジェオデータにより表された前記進行路上の位置と整合させ、
前記メディアディスプレイの位置と前記ジェオデータにより表された前記進行路上の前記位置との間の一致を使用して前記メディアディスプレイの効果を評価するステップを含んでいるメディアディスプレイ効果を決定するコンピュータ実施方法。
【請求項１４】
前記ジェオデータを解析して、前記ジェオデータにエラーがあるか否かを決定し、
メディアディスプレイの位置を前記ジェオデータにより表された前記進行路上の位置と整合させる前に、前記ジェオデータからエラーデータを除去するステップをさらに含んでいる請求項１３記載の方法。
【請求項１５】
前記メディアディスプレイの効果は、前記メディアディスプレイのリーチおよび頻度を決定することを含んでいる請求項１３記載の方法。
【請求項１６】
正確さを高めるために前記ジェオデータを外部データで増強するステップをさらに含んでいる請求項１３記載の方法。
【請求項１７】
前記外部データは地理情報システム（“ＧＩＳ”）データである請求項１６記載の方法。
【請求項１８】
正確さを高めるために前記ジェオデータをグルームするステップをさらに含んでいる請求項１３記載の方法。
【請求項１９】
前記ジェオデータは、前記回答者の人口統計にしたがってグループ化される請求項１３記載の方法。
【請求項２０】
前記複数のデータソースは監視装置である請求項１３記載の方法。
【請求項２１】
前記監視装置を特定調査データにより初期化するステップをさらに含んでいる請求項２０記載の方法。
【請求項２２】
前記特定調査データはＲＦゾーンを含んでいる請求項２１記載の方法。
【請求項２３】
前記監視装置の位置は、ジェオデータ位置の間にのびた計算されたラインに沿って配置された位置を含んでいる請求項２０記載の方法。
【請求項２４】
請求項１３乃至２３のいずれか１項記載の方法を行うコンピュータ実行可能な指令を含んでいるコンピュータ読出し可能な媒体。
【請求項２５】
請求項１３乃至２３のいずれか１項記載の方法を行うように動作するプロセッサおよびメモリを備えているコンピュータシステム。
【請求項２６】
監視装置および関連付けられた回答者により移動された複数の位置を特定するジェオデータを獲得し、前記ジェオデータの少なくとも一部分は衛星測位システム（“ＳＰＳ”）から得られ、
前記監視装置の位置を複数のメディアディスプレイの位置と比較し、
前記監視装置の位置と前記メディアディスプレイの位置とが一致していると結論付けられるほど十分に近いか否かに基づいて、前記監視装置がメディアディスプレイに露出されたか否かを決定するステップを含んでいるメディアディスプレイの効果を決定するコンピュータの実施する方法。
【請求項２７】
前記ジェオデータは前記監視装置から得られる請求項２６記載の方法。
【請求項２８】
前記監視装置から得られた前記ジェオデータはダウンロードサーバにダウンロードされる請求項２６記載の方法。
【請求項２９】
装置データを獲得するステップさらに含んでいる請求項２６記載の方法。
【請求項３０】
前記装置データは前記監視装置から得られる請求項２９記載の方法。
【請求項３１】
前記監視装置から得られた前記装置データは、ダウンロードサーバにダウンロードされる請求項２９記載の方法。
【請求項３２】
十分に近いことは、前記監視装置がメディアディスプレイ位置のしきい値範囲内において移動されたか否かを決定することに基づいている請求項２６記載の方法。
【請求項３３】
前記監視装置の位置は、ジェオデータ位置の間に延在する計算されたラインに沿って配置された位置を含んでいる請求項２６記載の方法。
【請求項３４】
計算されたラインは直線である請求項３３記載の方法。
【請求項３５】
計算されたラインは曲線である請求項３３記載の方法。
【請求項３６】
前記ジェオデータは、前記監視装置の移動の速さを記述した速度データを含んでいる請求項２６記載の方法。
【請求項３７】
前記ジェオデータをグルームするステップをさらに含んでいる請求項２６記載の方法。
【請求項３８】
前記ジェオデータのグルームは、ＤＧＰＳデータのジェオデータへの追加を含んでいる前記請求項３７記載の方法。
【請求項３９】
前記ジェオデータのグルームは、部分的なジェオデータ位置を既知の位置を表すデータと併合することを含んでいる請求項３７記載の方法。
【請求項４０】
前記ジェオデータのグルームは、既知の位置を表すデータからの付加的なジェオデータ位置を決定することを含んでいる請求項３７記載の方法。
【請求項４１】
異常ジェオデータを識別して記憶するステップをさらに含んでいる請求項２６記載の方法。
【請求項４２】
前記監視装置の位置に対する信用度の格付けを決定するステップをさらに含んでいる請求項２６記載の方法。
【請求項４３】
前記ジェオデータを強化するために地理情報システム（“ＧＩＳ”）データを使用して前記ジェオデータの正確さを高めるステップをさらに含んでいる請求項２６記載の方法。
【請求項４４】
エラーのある（“アウトオブタブ”）データを識別するために前記ジェオデータを解析するステップをさらに含んでいる請求項２６記載の方法。
【請求項４５】
識別されたアウトオブタブジェオデータをメモリ中のアウトオブタブデータ位置に記憶するステップをさらに含んでいる請求項４４記載の方法。
【請求項４６】
識別されたアウトオブタブジェオデータは前記ジェオデータから除去される請求項４４記載の方法。
【請求項４７】
位置が一致していると結論付けられるほど十分に近接した前記メディアディスプレイのそれぞれに対する露出値を決定するステップをさらに含んでいる請求項２６記載の方法。
【請求項４８】
位置が一致していると結論付けられるほど十分に近接している前記メディアディスプレイのそれぞれに対するリーチ値を決定するステップをさらに含んでいる請求項４７記載の方法。
【請求項４９】
位置が一致していると結論付けられるほど十分に近接している前記メディアディスプレイのそれぞれに対する頻度値を決定するステップをさらに含んでいる請求項４７記載の方法。
【請求項５０】
人口統計データを前記監視装置中に入力し、
前記メディアディスプレイのそれぞれに対するリーチおよび頻度値を決定し、
前記監視装置中に入力された人口統計にしたがって前記リーチおよび頻度値を分類するステップをさらに含んでいる請求項４７記載の方法。
【請求項５１】
前記メディアディスプレイのそれぞれに対する監視装置のリーチおよび頻度値を決定し、
前記ジェオデータに基づいて前記メディアディスプレイのそれぞれに対する総評価ポイント（“ＧＲＰ”）を計算するステップをさらに含んでいる請求項４７記載の方法。
【請求項５２】
前記ジェオデータから日別の実効普及高評価を決定するステップをさらに含んでいる請求項４７記載の方法。
【請求項５３】
前記監視装置は回答者によって携帯されており、前記回答者のメディアディスプレイの記憶の調査を処理するステップをさらに含んでおり、前記調査は前記ジェオデータに対応している請求項２６記載の方法。
【請求項５４】
前記監視装置は回答者によって携帯されており、前記回答者の購入行動の調査を処理するステップをさらに含んでおり、前記調査は前記ジェオデータに対応している請求項２６記載の方法。
【請求項５５】
前記監視装置は回答者によって携帯されており、
前記回答者のメディアディスプレイの記憶の調査を処理し、前記調査は前記ジェオデータに対応しており、
前記回答者の購入行動の調査を処理し、前記調査は前記ジェオデータに対応しており、
前記メディアディスプレイのそれぞれに対する記憶および購入評価を形成するために前記調査結果により作表するステップをさらに含んでいる請求項２６記載の方法。
【請求項５６】
請求項２６乃至５５のいずれか１項記載の方法を行うコンピュータ実行可能な指令を含んでいるコンピュータ読出し可能な媒体。
【請求項５７】
請求項２６乃至５５のいずれか１項記載の方法を行うように動作するプロセッサおよびメモリを備えているコンピュータ装置。
【請求項５８】
地理的領域において監視装置によりトラバースされた複数の位置を特定するジェオデータを獲得し、前記ジェオデータの少なくとも一部分は衛星測位システム（“ＳＰＳ”）から得られたものであり、
メディアディスプレイの露出のターゲットレベルおよび予算を選択し、
前記予算内の価格を有する前記地理的領域内の可能性のある位置を決定し、
前記可能性のある位置をジェオデータ位置と突き合わせ、
前記可能性のある位置に対して、前記可能性のある位置のそれぞれにおいて前記監視装置が可能性のあるメディアディスプレイに露出されたか否かを決定し、
前記メディアディスプレイが可能性のある位置に存在した場合の露出のレベルに基づいてメディアディスプレイの最適化された配置を決定するステップを含んでいるメディアディスプレイの最適化された配置を決定するコンピュータで実施される方法。
【請求項５９】
前記可能性のある位置のそれぞれに対するリーチ値を決定するステップをさらに含んでいる請求項５８記載の方法。
【請求項６０】
前記可能性のある位置のそれぞれに対する頻度値を決定するステップをさらに含んでいる請求項５８記載の方法。
【請求項６１】
前記可能性のある位置のそれぞれに対するリーチおよび頻度値を決定し、
前記ジェオデータに基づいて前記可能性のある位置のそれぞれに対する総評価ポイント（“ＧＲＰ”）を計算するステップをさらに含んでいる請求項５８記載の方法。
【請求項６２】
前記ジェオデータから日別実効普及高評価を決定するステップをさらに含んでいる請求項５８記載の方法。
【請求項６３】
請求項５８乃至６２のいずれか１項記載の方法を行うコンピュータにより実行可能な指令を含んでいるコンピュータ読出し可能な媒体。
【請求項６４】
請求項５８乃至６２のいずれか１項記載の方法を行うように動作するプロセッサおよびメモリを備えている計算装置。
【請求項６５】
地理的領域内において複数の監視装置によりトラバースされた複数の位置を特定するジェオデータを獲得し、前記ジェオデータの少なくとも一部分は衛星測位システム（“ＳＰＳ”）から得られたものであり、
所望の位置に対する所望のトラフィック特性および人口統計を選択し、
全てのジェオデータ位置に対するトラフィック特性および人口統計を設定し、
前記設定されたトラフィック特性および人口統計を前記所望のトラフィック特性と比較し、
前記所望の特性と最適に一致するトラフィック特性を有する少なくとも１つのジェオデータ位置を決定するステップを含んでいるコンピュータにより実行される方法。
【請求項６６】
前記ジェオデータはジェオデータ位置の間のラインセグメントを含んでいる請求項６５記載の方法。
【請求項６７】
請求項６５または６６記載の方法を行うコンピュータにより実行可能な指令を含んでいるコンピュータ読出し可能な媒体。
【請求項６８】
請求項６５または６６記載の方法を行うように動作するプロセッサおよびメモリを備えている計算装置。
【請求項６９】
（ａ）（ｉ）衛星測位信号が受信されているか否かを周期的に決定し、
（ｉｉ）衛星測位信号が受信されている場合、測位信号が利用可能である少なくとも１つの衛星を識別し、
（ｉｉｉ）十分な数の衛星測位信号が受信されている場合、監視装置の位置を決定する衛星測位システム（“ＳＰＳ”）コンポーネントと、
（ｂ）前記ＳＰＳコンポーネントに結合され、前記ＳＰＳコンポーネントが衛星信号を受信しているか否かに基づいて監視装置により消費される電力を制御する処理システムとを備えている回答者の位置を追跡する監視装置。
【請求項７０】
前記処理システムは、
（ａ）データを記憶するメモリと、
（ｂ）時間データを発生するクロックと、
（ｃ）前記衛星測位システムコンポーネントと、前記メモリと、および前記クロックとに接続されたプロセッサとを備えており、
前記プロセッサは、
（ｉ）前記衛星識別情報および前記監視装置位置情報が利用可能である場合に、これらを前記メモリ中に記憶し、
（ｉｉ）前記衛星識別情報および前記監視装置位置情報が利用可能である場合に、これらがメモリ中に記憶されているときに時間データを前記メモリ中に記憶する請求項６９記載の監視装置。
【請求項７１】
前記プロセッサはまた、衛星識別情報が利用可能でない場合に、衛星識別情報が利用可能でないことを示すインジケータと共に前記データをメモリ中に記憶する請求項７０記載の監視装置。
【請求項７２】
前記プロセッサはまた、監視装置位置情報が利用可能でないときに、監視装置位置情報が利用可能でないことを示すインジケータと共に時間データをメモリ中に記憶する請求項７１記載の監視装置。
【請求項７３】
前記監視装置を特有に識別する信号を収集するＲＦコンポーネントを備えている請求項６９記載の監視装置。
【請求項７４】
前記処理システムは、前記衛星測位システムコンポーネントにより決定される前記監視装置の位置に基づいてＲＦコンポーネントを使用可能にする請求項７３記載の監視装置。
【請求項７５】
前記監視装置から離れた位置を特有に識別する信号を受信するＲＦコンポーネントを備えている請求項６９記載の監視装置。
【請求項７６】
前記監視装置から離れた前記特有に識別された位置は、メディアディスプレイの位置である信号請求項７５記載の監視装置。
【請求項７７】
（ａ）監視装置の位置を周期的に決定する衛星測位システム（“ＳＰＳ”）コンポーネントと、
（ｂ）監視装置が最後に移動した時間を示す運動感知コンポーネントと、
（ｃ）前記運動感知コンポーネントに結合され、監視装置が最後に移動したときからの前記時間がしきい値時間内であるか否かに基づいて監視装置により消費される電力を制御する処理システムとを備えている回答者の位置を追跡する監視装置。
【請求項７８】
前記運動感知コンポーネントは震動板である請求項７７記載の監視装置。
【請求項７９】
（ａ）衛星信号を受信し、監視装置の位置を周期的に決定する衛星測位システム（“ＳＰＳ”）コンポーネントと、
（ｂ）電力を監視装置に供給する電源と、
（ｃ）前記電源に接続され、
（ｉ）前記電源の計画された寿命と、
（ｉｉ）衛星測位信号が受信されているか否かを前記電源の計画された寿命に基づいて決定するために使用された電力の量とに基づいて、監視装置により消費される電力を制御する処理システムとを備えている回答者の位置を追跡する監視装置。
【請求項８０】
前記計画された寿命は調査に対する残りの時間に対して測定される請求項７９記載の監視装置。
【請求項８１】
衛星測位信号が受信されている否かの決定に使用される電力の量の変更は、衛星測位信号が受信されている否かの決定に割当てられる時間の長さの変更を含んでいる請求項７９記載の監視装置。
【請求項８２】
衛星測位信号が受信されている否かの決定に使用される電力の量の変更は、衛星測位信号が受信されているか否かを周期的に決定する周期の頻度の変更を含んでいる請求項７９記載の監視装置。
【請求項８３】
（ａ）監視装置の位置を周期的に決定する衛星測位システム（“ＳＰＳ”）コンポーネントと、
（ｂ）補助位置情報を発生するＲＦコンポーネントと、
（ｃ）前記ＲＦコンポーネントに接続され、補助位置情報を発生するようにＲＦコンポーネントを制御する処理システムとを備えている回答者の位置を追跡する監視装置。
【請求項８４】
前記処理システムはＲＦコンポーネントの起動を制御する請求項８３記載の監視装置。
【請求項８５】
前記ＲＦコンポーネントは、前記監視装置を特有に識別する信号を発生する請求項８３記載の監視装置。
【請求項８６】
前記処理システムは、前記衛星測位システムコンポーネントにより決定される前記監視装置の位置に基づいて前記ＲＦコンポーネントを使用可能にする請求項８３記載の監視装置。
【請求項８７】
前記ＲＦコンポーネントは、前記監視装置から離れた位置を特有に識別する信号を受信するように動作する請求項８３記載の監視装置。
【請求項８８】
前記監視装置から離れた前記特有に識別された位置はメディアディスプレイの位置である請求項８７記載の監視装置。
【請求項８９】
さらに、補助位置情報を提供する補助的な非ＲＦ位置決定コンポーネントを備えている請求項８３記載の監視装置。
【請求項９０】
（ａ）（１）（ｉ）衛星測位信号が受信されているか否かを周期的に決定し、
（ｉｉ）衛星測位信号が受信されている場合、測位信号が利用可能である少なくとも１つの衛星を識別し、
（ｉｉｉ）十分な数の衛星測位信号が受信されている場合、監視装置の位置を決定する衛星測位システム（“ＳＰＳ”）コンポーネントと、
（２）（ｉ）データを記憶するメモリと、
（ｉｉ）時間データを発生するクロックと、
（ｉｉｉ）前記衛星測位システムコンポーネントと、前記メモリと、および前記クロックとに接続され、
（Ｉ）前記衛星識別情報および前記監視装置位置情報が利用可能である場合にこれらを前記メモリ中に記憶し、
（ＩＩ）前記衛星識別情報および前記監視装置位置情報が利用可能である場合にこれらがメモリ中に記憶されているときに、前記時間データを前記メモリ中に記憶するプロセッサとを備えている処理システムとを備えている回答者の位置を追跡する監視装置と、
（ｂ）（１）衛星識別情報と、監視装置位置情報と、および時間情報とを前記監視装置から獲得し、
（２）前記監視装置から得られた監視装置位置情報を複数の予め定められた位置と突き合わせ、
（３）前記突き合わせに基づいて、前記複数の予め定められた位置の任意のものに前記回答者が露出されたか否かを決定する事後サーバとを具備している望ましい位置を決定するコンピュータシステム。